【手続補正書】
【提出日】平成17年12月15日(2005.12.15)
【手続補正１】
【補正対象書類名】明細書
【補正対象項目名】特許請求の範囲
【補正方法】変更
【補正の内容】
【特許請求の範囲】
【請求項１】  システム動作中に通信システムの送信機の電力を制御するための少なくとも１つのモードを有する通信システム中でしきい値レベルを調整する方法において、
予め定められた測定基準に基づいて通信システムの性能を決定するステップと、
通信のしきい値に関して通信システムの送信機の電力を決定するステップと、
通信システムの前記性能と前記しきい値に関する送信機の電力とに基づいて、しきい値を調整するステップとを含む方法。
【請求項２】  前記調整ステップは、システムがしきい値でまたはしきい値近くで動作し、システムの性能が許容可能なレベルより下であるとき、通信システムの前記しきい値を増加させるステップを含む請求項１記載の方法。
【請求項３】  前記調整ステップは、システムがしきい値でまたはしきい値近くで動作し、システムの性能が許容可能なレベルより上であるとき、通信システムの前記しきい値を減少させるステップを含む請求項１記載の方法。
【請求項４】  前記予め定められた測定基準はシステムのエラーレート、フレームエラーレート、連続的なフレームエラーの数、およびビットエラーレートのグループのうちの１つである請求項１記載の方法。
【請求項５】  前記通信システムの性能を決定するステップは、通信システムのパラメータが規定された範囲内にあるか否かを決定するステップをさらに含む請求項１記載の方法。
【請求項６】  前記パラメータは、信号対雑音比、受信信号強度、フレームエラーレート頻度、連続的なフレームエラーの数、およびビットエラーレートを含むグループから選択される請求項５記載の方法。
【請求項７】  前記パラメータが範囲内にあるとの前記決定に基づいて電力制御のモードを選択するステップをさらに含む請求項５記載の方法。
【請求項８】  通信システムの選択された電力制御モードにしたがって送信機の電力を調整するステップをさらに含む請求項７記載の方法。
【請求項９】  前記電力の調整はインクリメント的な電力増加である請求項８記載の方法。
【請求項１０】  前記電力制御のモードを選択するステップは送信機において実行される請求項７記載の方法。
【請求項１１】  前記電力制御のモードを選択するステップは受信機の位置で実行され、受信機の位置から送信機にコマンドを送信して、所要の電力制御モードを選択するステップをさらに含む請求項７記載の方法。
【請求項１２】  前記電力を決定するステップは、システムがしきい値でまたはしきい値の近くで動作しているか否かを決定することを含み、
前記調整ステップは、システムがしきい値でまたはしきい値近くで動作しているか否かを決定する前記ステップの結果に基づいてしきい値を調整することを含む請求項１記載の方法。
【請求項１３】  前記調整ステップは、
前記システムがしきい値でまたはしきい値近くで動作し、システムの性能が許容可能なレベルより上および下のうちの１つであるとき、しきい値を調整するステップと、
さもなければ、しきい値を維持するステップとを含む請求項１記載の方法。
【請求項１４】  前記システムの性能が許容可能なレベルより下であり、システムがしきい値でまたはしきい値の近くで動作していないとき、しきい値を維持するステップをさらに含む請求項１記載の方法。
【請求項１５】  前記システムの性能が許容可能なレベルより下であり、システムがしきい値でまたはしきい値の近くで動作しているとき、しきい値を維持するステップをさらに含む請求項１記載の方法。
【請求項１６】  前記調整ステップは、
前記システムがしきい値でまたはしきい値の近くで動作し、システムの性能が許容可能なレベルより上および下のうちの１つであるとき、
前記システムがしきい値より下で動作し、システムの性能が許容可能なレベルより上および許容可能なレベルのうちの１つであるとき、
前記システムがしきい値より上で動作し、システムの性能が許容可能なレベルより下および許容可能なレベルのうちの１つであるとき、
しきい値を調整するステップと、
さもなければ、しきい値を維持するステップとを含む請求項１記載の方法。
【請求項１７】  システム動作中に通信システムの送信機の電力を制御するための少なくとも１つのモードを有する通信システム中でしきい値レベルを調整する装置において、
予め定められた測定基準に基づいて通信システムの性能を決定する手段と、
前記しきい値に関して、通信システム中の送信機の電力を決定する手段と、
通信システムの前記性能と前記しきい値に関する送信機の電力とに基づいて、しきい値を調整する手段とを具備する装置。
【請求項１８】  信号対雑音比、受信信号強度、フレームエラーレート頻度、連続的なフレームエラーの数、およびビットエラーレートを含むグループのうちの１つ以上にしたがって、前記通信システムの性能が測定される請求項１７記載の装置。
【請求項１９】  前記通信システムの性能を決定する手段は、送信信号がしきい値レベルにあるか、しきい値レベルより上か、もしくはしきい値レベルより下か否かを決定する手段を備えている請求項１７記載の装置。
【請求項２０】  前記通信システムの性能を決定する手段は、通信システムのパラメータが規定された範囲内にあるか否かを決定する手段を備えている請求項１７記載の装置。
【請求項２１】  前記パラメータは、信号対雑音比、受信信号強度、フレームエラーレート頻度、連続的なフレームエラーの数、およびビットエラーレートを含むグループから選択される請求項２０記載の装置。
【請求項２２】  前記パラメータが範囲内にあるとの前記決定に基づいて電力制御のモードを選択する手段をさらに具備する請求項２０記載の装置。
【請求項２３】  通信システムの選択された電力制御モードにしたがって送信機の電力を調整する手段をさらに具備する請求項２２記載の装置。
【請求項２４】  前記電力制御のモードを選択する手段は送信機に配置される請求項２２記載の装置。
【請求項２５】  前記電力制御のモードを選択する手段は受信機の位置に配置され、受信機の位置から送信機にコマンドを送信して、所要の電力制御モードを選択する手段をさらに具備する請求項２２記載の装置。
【請求項２６】  前記電力を決定する手段は、システムがしきい値でまたはしきい値近くで動作しているか否かを決定するように適合され、前記調整手段は、システムがしきい値でまたはしきい値近くで動作しているか否かを示す前記電力を決定する手段の結果に基づいて、しきい値を調整するように適合されている請求項１７記載の装置。
【請求項２７】  前記調整手段は、
前記システムがしきい値でまたはしきい値近くで動作し、システムの性能が許容可能なレベルより上および下のうちの１つであるとき、しきい値を調整し、
さもなければ、しきい値を維持するように適合されている請求項１７記載の装置。
【請求項２８】  前記システムの性能が許容可能なレベルより下であり、システムがしきい値でまたはしきい値近くで動作していないとき、しきい値を維持する手段をさらに具備する請求項１７記載の装置。
【請求項２９】  前記システムの性能が許容可能なレベルより下であり、システムがしきい値でまたはしきい値の近くで動作しているとき、しきい値を維持する手段をさらに具備する請求項１７記載の装置。
【請求項３０】  前記調整手段は、
前記システムがしきい値でまたはしきい値近くで動作し、システムの性能が許容可能なレベルより上および下のうちの１つであるとき、
前記システムがしきい値より下で動作し、システムの性能が許容可能なレベルより上および許容可能なレベルのうちの１つであるとき、
前記システムがしきい値より上で動作し、システムの性能が許容可能なレベルより下および許容可能なレベルのうちの１つであるとき、しきい値を調整し、
さもなければ、しきい値を維持するように適合されている請求項１７記載の装置。